(57)【要約】【課題】  遅延処理を行わなくても、入力切換時に映像の見逃しや音声の聴き逃しが生じる可能性を低減することが可能な放送受信装置およびその制御方法を提供する。【解決手段】  本発明の放送受信装置では、遅延算出部１１３は、分離部１０３から取得したタイムスタンプ（ＰＣＲ）と、分離部１０７から取得したタイムスタンプ（ＰＣＲ）とを比較して、入力切換前の放送番組と入力切換後の放送番組との遅延差を算出する。システム制御部１１５は、遅延算出部１１３により算出された遅延差ΔＰＣＲ＞Ｔ１である場合は、入力切換前の放送番組と入力切換後の放送番組の２画面表示を行うように制御する。【選択図】  図４
2010268047.tif 000002
【特許請求の範囲】
【請求項１】
第１および第２の放送番組は、互いに関連付けられ、同じ時間帯に放送される番組であって、
前記第１の放送番組の映像データを受信する第１の受信手段と、
前記第２の放送番組の映像データを受信する第２の受信手段と、
前記第１の放送番組の映像を表示部に表示した状態から前記第２の放送番組の映像を前記表示部に表示した状態へ切換える入力切換の指示を受ける操作手段と、
前記第２の受信手段で受信される前記第２の放送番組の映像データに対する、前記第１の受信手段で受信される前記第１の放送番組の映像データの遅延差を算出する算出手段と、
前記操作手段が前記入力切換の指示を受けた場合に、前記算出手段により算出された遅延差が予め定められた値よりも大きいときは、前記第１の放送番組の映像と前記第２の放送番組の映像をともに前記表示部に表示させた後で、前記第２の放送番組の映像を前記表示部に表示した状態へ切換えるように制御する制御手段とを備える放送受信装置。
【請求項２】
前記制御手段は、前記算出手段により算出された遅延差に応じた期間だけ、前記第１の放送番組の映像と前記第２の放送番組の映像をともに前記表示部に表示するように制御することを特徴とする請求項１に記載の放送受信装置。
【請求項３】
前記制御手段は、前記第１の放送番組の映像と前記第２の放送番組の映像をともに前記表示部に表示した状態において、前記第１の放送番組に対応する音声を出力するように制御することを特徴とする請求項１または請求項２に記載の放送受信装置。
【請求項４】
前記制御手段は、前記第１の放送番組の映像と前記第２の放送番組の映像をともに前記表示部に表示した状態において、前記第２の放送番組に対応する字幕を前記表示部に表示するように制御することを特徴とする請求項３に記載の放送受信装置。
【請求項５】
前記算出手段は、前記第１の放送番組のタイムスタンプと前記第２の放送番組のタイムスタンプとを取得し、該タイムスタンプに基づいて、前記遅延差を算出することを特徴とする請求項１から請求項４までのいずれか１項に記載の放送受信装置。
【請求項６】
前記第１および第２の放送番組は、マルチビュー放送を構成する番組であることを特徴とする請求項１から請求項５までのいずれか１項に記載の放送受信装置。
【請求項７】
第１および第２の放送番組は、互いに関連付けられ、同じ時間帯に放送される番組であって、
デジタル放送波を介して、前記第１の放送番組の映像データを受信する第１の受信手段と、
インターネット回線を介して、前記第２の放送番組の映像データを受信する第２の受信手段と、
前記第１の放送番組の映像を表示部に表示した状態から前記第２の放送番組の映像を前記表示部に表示した状態へ切換える入力切換の指示、または前記第２の放送番組の映像を表示部に表示した状態から前記第１の放送番組の映像を前記表示部に表示した状態へ切換える入力切換の指示を受ける操作手段と、
前記操作手段が前記第２の放送番組の映像を表示部に表示した状態から前記第１の放送番組の映像を前記表示部に表示した状態へ切換える入力切換の指示を受けた場合は、前記第１の放送番組の映像と前記第２の放送番組の映像をともに前記表示部に表示させた後で、前記第１の放送番組の映像を前記表示部に表示した状態へ切換えるように制御する制御手段とを備える放送受信装置。
【請求項８】
第１および第２の放送番組は、互いに関連付けられ、同じ時間帯に放送される番組であり、前記第１の放送番組の映像データを受信する第１の受信手段と、前記第２の放送番組の映像データを受信する第２の受信手段とを備える放送受信装置の制御方法であって、
前記第１の放送番組の映像を表示部に表示した状態から前記第２の放送番組の映像を前記表示部に表示した状態へ切換える入力切換の指示を受ける操作ステップと、
前記第２の受信手段で受信される前記第２の放送番組の映像データに対する、前記第１の受信手段で受信される前記第１の放送番組の映像データの遅延差を算出する算出ステップと、
前記入力切換の指示を受けた場合に、前記算出ステップで算出された遅延差が予め定められた値よりも大きいときは、前記第１の放送番組の映像と前記第２の放送番組の映像をともに前記表示部に表示させた後で、前記第２の放送番組の映像を前記表示部に表示した状態へ切換えるように制御する制御ステップとを有する放送受信装置の制御方法。
【請求項９】
第１および第２の放送番組は、互いに関連付けられ、同じ時間帯に放送される番組であり、デジタル放送波を介して、前記第１の放送番組の映像データを受信する第１の受信手段と、インターネット回線を介して、前記第２の放送番組の映像データを受信する第２の受信手段と備える放送受信装置の制御方法であって、
前記第１の放送番組の映像を表示部に表示した状態から前記第２の放送番組の映像を前記表示部に表示した状態へ切換える入力切換の指示、または前記第２の放送番組の映像を表示部に表示した状態から前記第１の放送番組の映像を前記表示部に表示した状態へ切換える入力切換の指示を受ける操作ステップと、
前記第２の放送番組の映像を表示部に表示した状態から前記第１の放送番組の映像を前記表示部に表示した状態へ切換える入力切換の指示を受けた場合は、前記第１の放送番組の映像と前記第２の放送番組の映像をともに前記表示部に表示させた後で、前記第１の放送番組の映像を前記表示部に表示した状態へ切換えるように制御する制御ステップとを有する放送受信装置の制御方法。
【発明の詳細な説明】
【技術分野】
【０００１】
本発明は、複数の受信手段を備える放送受信装置及びその制御方法に関する。
【背景技術】
【０００２】
近年、光ファイバー等のブロードバンド回線を用いてデータを高速で送受信できるインターネット環境が一般家庭に広がってきている。これに伴い、インターネット回線を利用して動画コンテンツをライブ配信するＩＰ（Ｉｎｔｅｒｎｅｔ  Ｐｒｏｔｏｃｏｌ）放送も本格的に開始されつつある。そして、地上波デジタル放送や衛星デジタル放送の他、ＩＰ放送も受信可能なテレビ受像機やセット・トップ・ボックス（ＳＴＢ）等の放送受信装置も徐々に普及してきている。
【０００３】
今後は、デジタル放送とＩＰ放送とを組み合わせた新たな放送サービスが始まると予測される。一例としては、地上波デジタル放送とＩＰ放送とを用いたマルチビュー放送が挙げられる。例えば、複数のカメラで撮影された複数の映像を選択的に切換えて地上波デジタル放送の１つのチャンネルで放送し、複数のカメラで撮影された複数の映像をＩＰ放送としてライブ配信する。ゴルフ中継のマルチビュー放送が行われると、視聴者はゴルフ番組を地上波デジタル放送で視聴しながら、ＩＰ放送で自分が好きな選手を追いかけているカメラの映像や、特定のホールの様子を撮影し続けているカメラの映像等を任意に選択して視聴することができるようになる。
【０００４】
地上波デジタル放送とＩＰ放送等、異なる伝送路や伝送方式を用いて番組を放送する場合、放送受信装置で受信される映像・音声データに遅延差が生じる。このため、視聴する放送サービスを切換えた場合に、遅延差分の映像の見逃しや、音声の聴き逃しが発生する可能性がある。例えば、ＩＰ放送から地上波デジタル放送へ視聴する放送サービスを切換えた場合、一般には地上波デジタル放送よりもＩＰ放送の方が遅延量が大きいため、遅延差分の映像の見逃し、音声の聴き逃しが生じる。
【０００５】
ここで、下記の特許文献１には、デジタルＴＶ放送とアナログＴＶ放送との遅延時間差に応じて、アナログＴＶチューナで受信されたアナログＴＶ放送を遅延させて出力することが開示されている。これによれば、アナログＴＶ放送からデジタルＴＶ放送へ切換える際に、放送番組を重複なく継続して視聴することが可能となる。また、デジタルＴＶ放送からアナログＴＶ放送へ切換える際に、放送番組を欠落なく継続して視聴することが可能となる。
【先行技術文献】
【特許文献】
【０００６】
【特許文献１】特開２００７−１１６５５９公報
【発明の概要】
【発明が解決しようとする課題】
【０００７】
しかしながら、上記特許文献１に記載のように遅延処理を行うためにはハードディスクのようなストレージや、大容量のメモリデバイスが必要となる。
【０００８】
そこで、本発明は、遅延処理を行わなくても、入力切換時に映像の見逃しや音声の聴き逃しが生じる可能性を低減することが可能な放送受信装置およびその制御方法を提供することを目的とする。
【課題を解決するための手段】
【０００９】
上述した課題を解決するために、本発明に係る放送受信装置は、第１および第２の放送番組は、互いに関連付けられ、同じ時間帯に放送される番組であって、前記第１の放送番組の映像データを受信する第１の受信手段と、前記第２の放送番組の映像データを受信する第２の受信手段と、前記第１の放送番組の映像を表示部に表示した状態から前記第２の放送番組の映像を前記表示部に表示した状態へ切換える入力切換の指示を受ける操作手段と、前記第２の受信手段で受信される前記第２の放送番組の映像データに対する、前記第１の受信手段で受信される前記第１の放送番組の映像データの遅延差を算出する算出手段と、前記操作手段が前記入力切換の指示を受けた場合に、前記算出手段により算出された遅延差が予め定められた値よりも大きいときは、前記第１の放送番組の映像と前記第２の放送番組の映像をともに前記表示部に表示させた後で、前記第２の放送番組の映像を前記表示部に表示した状態へ切換えるように制御する制御手段とを備える。
【発明の効果】
【００１０】
本発明によれば、遅延差に基づいて第１の放送番組の映像と第２の放送番組の映像をともに表示部に表示させるように制御することにより、遅延処理を行わなくても、入力切換時に映像の見逃しや音声の聴き逃しが生じる可能性を低減することが可能となる。
【図面の簡単な説明】
【００１１】
【図１】本発明の実施の形態１に係る放送受信装置の構成を示すブロック図である。
【図２】図１に示したリモコンの外観を示す図である。
【図３】マルチビュー放送送信システムの構成を示すブロック図である。
【図４】入力切換を行う場合の動作について説明するためのフロー図である。
【図５】入力切換時の画面遷移の例を示す図である。
【図６】実施の形態１の変更例を示す図である。
【発明を実施するための形態】
【００１２】
（実施の形態１）
本発明の実施の形態１について、以下に図を用いて説明する。図１は、放送受信装置１００の構成を示すブロック図である。
【００１３】
放送受信装置１００は、受信部１０２，１０６、分離部１０３，１０７、デコード部１０４，１０８、合成部１０５、表示制御部１０９、音声制御部１１０、映像表示部１１１、音声出力部１１２を備える。また、放送受信装置１００は、遅延算出部１１３、グラフィック生成部１１４、システム制御部１１５、受光部１１６、選局制御部１１７、メモリ部１１８、タイマ部１１９を備える。
【００１４】
受信部１０２は、アンテナ１０１を介して地上波デジタル放送波を受信し、復調・誤り訂正等の処理を行って、トランスポート・ストリーム（ＴＳ）を生成して分離部１０３に出力する。トランスポート・ストリームには、映像データ、音声データ、字幕データ、データ放送データ、現在時刻情報、タイムスタンプ、番組情報等が多重されている。現在時刻情報は、年・月・日・時・分・秒の情報を含む。番組情報は、番組名、番組内容説明、放送チャンネル、放送時間（放送開始時刻と継続時間）、ジャンル情報、対応するＩＰ放送番組の識別情報等を含む。ＩＰ放送番組の識別情報とは、地上波デジタル放送番組に関連付けられたＩＰ放送番組の有無、ＩＰ放送番組の映像・音声データ等をインターネット回線経由で取得するためのＵＲＬ（Ｕｎｉｆｏｒｍ  Ｒｅｓｏｕｒｃｅ  Ｌｏｃａｔｏｒ）を含む。地上波デジタル放送番組に関連付けられたＩＰ放送番組がある場合の例としては、地上波デジタル放送とＩＰ放送とを用いたマルチビュー放送サービスが提供されるケースが挙げられる。また、地上波デジタル放送番組よりも高画質・高音質の放送がＩＰ放送番組として提供されるケースや、地上波デジタル放送番組と同一の内容のＩＰ放送番組が提供されるケース等もある。このように、地上波デジタル放送番組と対応関係を有するＩＰ放送番組が同じ時間帯に提供される場合に、地上波デジタル放送番組に関連付けられたＩＰ放送番組があるものとされる。
【００１５】
分離部１０３は、トランスポート・ストリームに多重されている映像データ、音声データ、字幕データ、データ放送データ、現在時刻情報、タイムスタンプ、番組情報等を分離する。タイムスタンプは、映像や音声等を同期させて再生するための２７ＭＨｚの基準クロック・ＰＣＲ（Ｐｒｏｇｒａｍ  Ｃｌｏｃｋ  Ｒｅｆｅｒｅｎｃｅ）を含む。このＰＣＲは、約０．１秒以下の間隔でトランスポート・ストリームに多重されている。
【００１６】
分離部１０３で分離された映像データ、音声データ、字幕データは、ＰＥＳ（Ｐａｃｋｅｔｉｚｅｄ  Ｅｌｅｍｅｎｔａｒｙ  Ｓｔｒｅａｍ）パケットの形式でタイムスタンプとともにデコード部１０４に出力される。また、分離部１０３で分離されたタイムスタンプは遅延算出部１１３に出力される。データ放送データおよび番組情報は、分離部１０３からバスを介してメモリ部１１８に格納される。現在時刻情報は、分離部１０３からバスを介してタイマ部１１９に与えられ、時刻情報がカウントされる。
【００１７】
デコード部１０４は、分離部１０３で分離された映像データ、音声データ、字幕データを復号する。また、デコード部１０４は、タイムスタンプに含まれるＰＣＲを参照して受信側のＳＴＣ（Ｓｙｓｔｅｍ  Ｔｉｍｅ  Ｃｌｏｃｋ）の値を送信側のＳＴＣ値にあわせ、映像データ、音声データ、字幕データを同期させて再生する。デコード部１０４は、ＰＣＲのほか、再生時刻を示すタイムスタンプであるＰＴＳ（Ｐｒｅｓｅｎｔａｔｉｏｎ  Ｔｉｍｅ  Ｓｔａｍｐ）、復号時刻を示すタイムスタンプＤＴＳ（Ｄｅｃｏｄｉｎｇ  Ｔｉｍｅ  Ｓｔａｍｐ）を用いて同期再生の処理を行う。デコード部１０４で復号された映像データおよび字幕データは合成部１０５に出力され、音声データは音声制御部１１０に出力される。
【００１８】
受信部（通信部）１０６は、インターネット回線を介して、ＩＰ放送のトランスポート・ストリームを受信する。ＩＰ放送番組の配信には、映像・音声データをストリーミング再生するためのＲＴＰ（Ｒｅａｌ−ｔｉｍｅ  Ｔｒａｎｓｐｏｒｔ  Ｐｒｏｔｏｃｏｌ）やＲＴＳＰ（Ｒｅａｌ−ｔｉｍｅ  Ｓｔｒｅａｍｉｎｇ  Ｐｒｏｔｏｃｏｌ）が用いられる。ＩＰ放送のトランスポート・ストリームには、地上波デジタル放送と同様、映像データ、音声データ、字幕データ、データ放送データ、現在時刻情報、タイムスタンプ、番組情報等が多重されている。現在時刻情報は、年・月・日・時・分・秒の情報を含む。番組情報は、番組名、番組内容説明、放送チャンネル、放送時間（放送開始時刻と継続時間）、ジャンル情報、対応する地上波デジタル放送番組の識別情報等を含む。地上波デジタル放送番組の識別情報とは、ＩＰ放送番組に関連付けられた地上波デジタル放送番組の有無、地上波デジタル放送番組のチャンネル情報を含む。ＩＰ放送番組に関連付けられた地上波デジタル放送番組がある場合の例としては、地上波デジタル放送とＩＰ放送とを用いたマルチビュー放送サービスが提供されるケースが挙げられる。また、地上波デジタル放送番組よりも高画質・高音質の放送がＩＰ放送番組として提供されるケースや、地上波デジタル放送番組と同一の内容のＩＰ放送番組が提供されるケース等もある。このように、ＩＰ放送番組と対応関係を有する地上波デジタル放送番組が同じ時間帯に提供される場合に、ＩＰ放送番組に関連付けられた地上波デジタル放送番組があるものとされる。
【００１９】
分離部１０７は、トランスポート・ストリームに多重されている映像データ、音声データ、字幕データ、データ放送データ、タイムスタンプ、番組情報等を分離する。タイムスタンプは、映像や音声等を同期させて再生するための２７ＭＨｚの基準クロック・ＰＣＲを含む。
【００２０】
分離部１０７で分離された映像データ、音声データ、字幕データは、ＰＥＳパケットの形式でタイムスタンプとともにデコード部１０８に出力される。また、分離部１０７で分離されたタイムスタンプは遅延算出部１１３に出力される。データ放送データおよび番組情報は、分離部１０７からバスを介してメモリ部１１８に格納される。
【００２１】
デコード部１０８は、分離部１０７で分離された映像データ、音声データ、字幕データを復号する。また、デコード部１０８は、タイムスタンプに含まれるＰＣＲを参照して受信側のＳＴＣの値を送信側のＳＴＣ値にあわせ、映像データ、音声データ、字幕データを同期させて再生する。デコード部１０８は、ＰＣＲのほか、再生時刻を示すタイムスタンプであるＰＴＳ、復号時刻を示すタイムスタンプを用いて同期再生の処理を行う。デコード部１０８で復号された映像データおよび字幕データは合成部１０５に出力され、音声データは音声制御部１１０に出力される。
【００２２】
グラフィック生成部１１４は、電子番組表（ＥＰＧ：Ｅｌｅｃｔｒｏｎｉｃ  Ｐｒｏｇｒａｍ  Ｇｕｉｄｅ）や各種設定メニュー等のグラフィックデータを生成する。合成部１０５は、システム制御部１１５からの要求に応じて、デコード部１０４，１０８で復号された映像データや字幕データに、グラフィック生成部１１４で生成されたグラフィックデータを合成する機能を有する。例えば、デコード部１０４，１０８のうち選択された方の映像データに、グラフィック生成部１１４で生成されたグラフィックデータを合成して、表示制御部１０９に出力することができる。また、デコード部１０４とデコード部１０８の映像データを２画面に合成して表示制御部１０９に出力することもできる。
【００２３】
表示制御部１０９は、から出力された映像データを映像表示部１１１の表示解像度、表示色数、リフレッシュレートに適した形式に変換して、映像表示部１１１に出力する。音声制御部１１０は、システム制御部１１５からの要求に応じて、デコード部１０４，１０８のうち選択された方の音声データを音声出力部１１２に出力する。この音声制御部１１０は、音声のボリュームを変更する機能等も有する。
【００２４】
図２は、リモコン２００の外観を示す図である。リモコン２００は、送信部２０１、電源キー２０２、カーソルキー２０３、決定キー２０４、２画面キー２０５、音量アップダウンキー２０６、入力切換キー２０７、数字キー２０８を備える。数字キー２０８は、「１」から「１２」までの１２個のキーを含む。なお、図２においては、本実施の形態を説明するために必要なキーのみをしている。
【００２５】
ユーザがリモコン２００の各キーを押下すると、送信部２０１から赤外線信号により操作情報が送信される。電源キー２０２は、放送受信装置１００の電源をオン／オフするためのキーである。カーソルキー２０３および決定キー２０４は、映像表示部１１１の画面に表示されたカーソルを移動させて、各種動作の実行を指示するためのキーである。２画面キー２０５は、地上波デジタル放送の映像とＩＰ放送の映像とを映像表示部１１１に２画面で表示するためのキーである。音量アップダウンキー２０６は、音声出力部１１２から出力する音声のボリュームをアップ／ダウン調整するためのキーである。入力切換キー２０７は、映像表示部１１１の画面に表示する映像を、地上波デジタル放送からＩＰ放送へ、またはＩＰ放送から地上波デジタル放送へ切換えるためのキーである。数字キー２０８は、地上波デジタル放送やＩＰ放送のチャンネルを指定して選局するためのキーである。
【００２６】
図１を参照して、受光部１１６は、リモコン２００からの赤外線信号を受光する。システム制御部１１５は、受光部１１６を介して、リモコン２００からの操作情報を受信し、操作情報に従って放送受信装置１００内の各部の動作を制御する。受信した操作情報が、数字キー２０８の操作等の選局に関わる情報である場合、システム制御部１１５は、選局制御部１１７に選局制御を要求する。選局制御部１１７は、選局すべきチャンネルを判別すると、受信部１０２が指定されたチャンネルの信号を選局して分離部１０３に出力するように制御する。
【００２７】
選局制御部１１７は、地上波デジタル放送の選局処理を行った場合、選局処理が正常に完了したことと、選局された地上波デジタル放送のチャンネル番号とをシステム制御部１１５に通知する。また、ＩＰ放送の選局処理を行った場合、選局制御部１１７は、選局処理が正常に完了したことと、選局されたＩＰ放送番組の識別情報とをシステム制御部１１５に通知する。システム制御部１１５は、選局制御部１１７から受け取った情報をメモリ部１１８に保存する。システム制御部１１５は、地上波デジタル放送の番組が選局されているのか、ＩＰ放送の番組が選局されているのか識別することが可能である。
【００２８】
遅延算出部１１３は、分離部１０３から取得したタイムスタンプ（ＰＣＲ）と、分離部１０７から取得したタイムスタンプ（ＰＣＲ）とを比較して、地上波デジタル放送番組とＩＰ放送番組との遅延差を算出する。システム制御部１１５は、遅延算出部１１３により算出された遅延差に基づいて、表示制御部１０９の動作を制御する。この動作の詳細については後述する。
【００２９】
図３は、マルチビュー放送送信システム３００の構成を示すブロック図である。マルチビュー放送送信システム３００は、映像・音声供給装置３０１、番組情報・字幕供給装置３０２、ＴＳ多重装置３０３、地上波デジタル送信装置３０４、ネットワーク配信装置３０５を備える。映像・音声供給装置３０１は、複数のカメラで撮影された複数の映像・音声データＤ２〜Ｄ４を選択的に切換えて構成された地上波デジタル放送用の映像・音声データＤ１を、ＴＳ多重装置３０３に出力する。また、複数のカメラで撮影された複数の映像・音声データＤ２〜Ｄ４を、ＩＰ放送用のデータとしてＴＳ多重装置３０３に出力する。ゴルフ中継のマルチビュー放送を行う場合、例えば、特定の選手を追いかけているカメラの映像・音声データＤ２、１番ホールの様子を撮影し続けているカメラの映像・音声データＤ３、３番ホールの様子を撮影し続けているカメラの映像・音声データＤ４、それらの映像・音声データＤ２〜Ｄ４が選択的に切換えられて構成された映像・音声データＤ１がＴＳ多重装置３０３に出力されるケース等が考えられる。また、野球中継のマルチビュー放送を行う場合は、例えば、先行チームの様子を中心に追いかけているカメラの映像・音声データＤ２、後攻チームの様子を中心に追いかけているカメラの映像・音声データＤ３、ベンチの様子を中心に撮影し続けているカメラの映像・音声データＤ４、それらの映像・音声データＤ２〜Ｄ４が選択的に切換えられて構成された映像・音声データＤ１がＴＳ多重装置３０３に出力されるケース等が考えられる。
【００３０】
番組情報・字幕供給装置３０２は、放送番組に関わる番組情報や字幕データをＴＳ多重システム３０３に供給する。番組情報は、番組名、番組内容説明、放送チャンネル、放送時間（放送開始時刻と継続時間）、ジャンル情報、地上波デジタル番組に対応するＩＰ放送番組の識別情報等を含む。この番組情報・字幕供給装置３０２は、映像・音声データＤ１〜Ｄ４の各々に対応する番組情報と字幕データをＴＳ多重システムに３０３に供給する。
【００３１】
ＴＳ多重システム３０３は、映像・音声データＤ１〜Ｄ４の各々に、対応する番組情報と字幕データを多重して、トランスポート・ストリームＴＳ１〜ＴＳ４を生成する。トランスポート・ストリームＴＳ１は、地上波デジタル送信装置３０４に出力され、トランスポート・ストリームＴＳ２〜ＴＳ４は、ネットワーク配信装置３０５に出力される。
【００３２】
地上波デジタル送信装置３０４は、トランスポート・ストリームＴＳ１を変調し、決められた周波数帯の信号に変換して送信する。ネットワーク配信装置３０５は、トランスポート・ストリームＴＳ２〜ＴＳ４をインターネット回線を介してマルチキャストで配信する。地上波デジタル送信装置３０４とネットワーク配信装置３０５は、ＰＣＲ（Ｐｒｏｇｒａｍ  Ｃｌｏｃｋ  Ｒｅｆｅｒｅｎｃｅ）により互いに同期がとられる構成となっている。
【００３３】
図４は、地上波デジタル放送からＩＰ放送への入力切換、およびＩＰ放送から地上波デジタル放送への入力切換を行う場合の動作について説明するためのフロー図である。ステップＳ４０１で、システム制御部１１５は、地上波デジタル放送からＩＰ放送への入力切換の指示、またはＩＰ放送から地上波デジタル放送への入力切換の指示があったか否かを判別する。具体的には、受光部１１６を介してリモコン２００からの操作情報を受信し、リモコン２００の入力切換キー２０７が押下されたか否かを判別する。入力切換キー２０７が押下された場合は、ステップＳ４０１からステップＳ４０２に進む。
【００３４】
ステップＳ４０２では、（Ａ）地上波デジタル放送からＩＰ放送への入力切換の指示があったのか、または（Ｂ）ＩＰ放送から地上波デジタル放送への入力切換の指示があったのかを判別する。具体的には、入力切換キー２０７が押下される前に、地上波デジタル放送の映像が映像表示部１１１に表示されていたのか（Ａと判別）、ＩＰ放送の映像が映像表示部１１１に表示されていたのか（Ｂと判別）を識別することにより判別される。そして、（Ａ）地上波デジタル放送からＩＰ放送への入力切換の指示があったと判別した場合は、ステップＳ４０３に進み、（Ｂ）ＩＰ放送から地上波デジタル放送への入力切換の指示があったと判別した場合は、ステップＳ４０６に進む。
【００３５】
ステップＳ４０２からステップＳ４０３に進んだ場合、システム制御部１１５は、入力切換キー２０７が押下される前に選局されていた地上波デジタル放送番組に対応するＩＰ放送番組の識別情報をメモリ部１１８から取得する。そして、地上波デジタル放送番組に関連付けられたＩＰ放送番組があるか否かを判別する。関連付けられたＩＰ放送番組がある場合は、ステップＳ４０４に進む。一方、関連付けられたＩＰ放送番組がない場合は、入力切換を行わないで、例えば「関連付けられたＩＰ放送番組がありません」とのメッセージを表示するように制御する。ただし、関連付けられたＩＰ放送番組がない場合に、ＩＰ放送のポータルサイトの映像に入力切換するようにしてもよい。
【００３６】
ステップＳ４０４で、システム制御部１１５は、ＩＰ放送番組の識別情報を解析してＵＲＬ（Ｕｎｉｆｏｒｍ  Ｒｅｓｏｕｒｃｅ  Ｌｏｃａｔｏｒ）を取得し、選局制御部１１７に対してＩＰ放送番組の選局処理を要求する。ステップＳ４０５で、選局制御部１１７は、インターネット回線経由でＵＲＬにアクセスして、地上波デジタル放送番組に関連付けられたＩＰ放送番組の映像・音声データ等を受信するように受信部１０６を制御する。
【００３７】
ステップＳ４０２からステップＳ４０６に進んだ場合、システム制御部１１５は、入力切換キー２０７が押下される前に選局されていたＩＰ放送番組に関連付けられた地上波デジタル放送番組の識別情報をメモリ部１１８から取得する。そして、ＩＰ放送番組に関連付けられた地上波デジタル放送番組があるか否かを判別する。関連付けられた地上波デジタル放送番組がある場合は、ステップＳ４０７に進む。一方、関連付けられた地上波デジタル放送番組がない場合は、入力切換を行わないで、例えば「関連付けられた地上波デジタル放送番組がありません」とのメッセージを表示するように制御する。ただし、関連付けられた地上波デジタル放送番組がない場合に、地上波デジタル放送のラストチャンネルの映像に入力切換するようにしてもよい。
【００３８】
ステップＳ４０７で、システム制御部１１５は、地上波デジタル放送番組の識別情報を解析してチャンネル情報を取得し、選局制御部１１７に対して地上波デジタル放送番組の選局処理を要求する。ステップＳ４０８で、選局制御部１１７は、ＩＰ放送番組に関連付けられた地上波デジタル放送番組を選局するように受信部１０２を制御する。
【００３９】
ステップＳ４０９で、遅延算出部１１３は、分離部１０３から取得したタイムスタンプ（ＰＣＲ）と、分離部１０７から取得したタイムスタンプ（ＰＣＲ）とを比較して、地上波デジタル放送番組とＩＰ放送番組との遅延差を算出する。具体的には、ＰＣＲの拡張部分（９ビット）と基底部分（３３ビット）とに分け、入力切換後の放送番組のＰＣＲから入力切換前の放送番組のＰＣＲを引いた値ΔＰＣＲ（遅延差）を算出する。入力切換前の放送番組のタイムスタンプの拡張部分をＰＣＲｅｘｔ１、基底部分をＰＣＲｂａｓｅ１とし、入力切換後の放送番組のタイムスタンプの拡張部分をＰＣＲｅｘｔ２、基底部分をＰＣＲｂａｓｅ２とすると、遅延差ΔＰＣＲは下記の数式で表される。
ΔＰＣＲ＝｛（ＰＣＲｅｘｔ２−ＰＣＲｅｘｔ１）／２７，０００，０００｝＋｛（ＰＣＲｂａｓｅ２−ＰＣＲｂａｓｅ１）／９０，０００｝
次に、ステップＳ４１０で、システム制御部１１５は、遅延算出部１１３により算出された遅延差情報を取得し、遅延差ΔＰＣＲ＞Ｔ１であるか否かを判別する。Ｔ１（秒）は、例えば０としてもよいし、０よりも大きな所定値（正の数値）としてもよい。ここで、遅延差ΔＰＣＲ＞Ｔ１である場合は、入力切換前の放送番組と入力切換後の放送番組の２画面表示を行うと判定し、ステップＳ４１１に進む。一方、遅延差ΔＰＣＲ＞Ｔ１でない場合は、２画面表示を行わないと判定し、ステップＳ４１５に進む。ステップＳ４１５で、システム制御部１１５は、地上波デジタル放送からＩＰ放送への入力切換処理、またはＩＰ放送から地上波デジタル放送への入力切換処理を実行する。
【００４０】
ステップＳ４１１では、システム制御部１１５は、算出された遅延差ΔＰＣＲに基づいて、２画面表示の継続期間Ｔ２（秒）を決定する。Ｔ２は、例えば遅延差ΔＰＣＲと同じ値としてもよいし、遅延差ΔＰＣＲよりも少し大きな値としてもよい。
【００４１】
次に、ステップＳ４１２で、システム制御部１１５は、合成部１０５に対して、地上波デジタル放送番組の映像データとＩＰ放送番組の映像データとを２画面に合成するように要求する。合成部１０５は、デコード部１０４とデコード部１０８の映像データを２画面に合成して表示制御部１０９に出力し、２画面表示が開始される。合成部１０５は、入力切換前の放送番組に対応する映像が主画面、入力切換後の放送番組に対応する映像が副画面になるように合成処理を行う。
【００４２】
続いて、ステップＳ４１３で、システム制御部１１５は、２画面表示を開始してからの経過時間をカウントし、継続期間Ｔ２が経過したらステップＳ４１３からステップＳ４１４に進む。ステップＳ４１４では、システム制御部１１５は、合成部１０５に２画面表示を終了して１画面表示に切換えるように要求する。合成部１０５は、デコード部１０４またはデコード部１０８の映像データを表示制御部１０９に出力し、地上波デジタル放送番組またはＩＰ放送番組の１画面表示に切換えられる。具体的には、（Ａ）地上波デジタル放送からＩＰ放送への入力切換の指示があった場合は、ＩＰ放送番組の１画面表示に切換えられる。一方、（Ｂ）ＩＰ放送から地上波デジタル放送への入力切換の指示があった場合は、地上波デジタル放送番組の１画面表示に切換えられる。なお、ここでは、システム制御部１１５が、継続期間Ｔ２が経過したか否かを判定して１画面表示に切換えるように制御するものとして説明したが、合成部１０５が判定する構成であってもよい。その場合は、上記ステップＳ４１２で、システム制御部１１５は、２画面表示の継続期間Ｔ２（秒）を示す情報と、２画面表示終了後に地上波デジタル放送番組とＩＰ放送番組のどちらの１画面表示に切換えるべきかを識別する情報とを合成部１０５に出力する。
【００４３】
図５は、入力切換時の画面遷移の例を示す図である。図５（ａ）は、地上波デジタル放送からＩＰ放送への入力切換時の画面遷移の例を示す図である。図５（ｂ）は、ＩＰ放送から地上波デジタル放送への入力切換時の画面遷移の例を示す図である。ただし、ここではＩＰ放送番組が地上波デジタル放送番組よりも遅延して受信されることを前提として説明するが、これに限定されるものではない。伝送経路や伝送方式によっては、または番組編成によっては、地上波デジタル放送番組がＩＰ放送番組よりも遅延して受信されることもありうる。
【００４４】
例えば、地上波デジタル放送からＩＰ放送への入力切換の指示があり、遅延算出部１１３により算出された遅延差ΔＰＣＲ＞Ｔ１でなかった場合は、入力切換前の地上波デジタル放送番組Ｐ１と入力切換後のＩＰ放送番組Ｐ２の２画面表示を行わないと判定される。そして、図５（ａ）に示すように、地上波デジタル放送番組Ｐ１の映像表示状態７０１からＩＰ放送番組Ｐ２の映像表示状態７０２へ切換えられる。
【００４５】
また、ＩＰ放送から地上波デジタル放送への入力切換の指示があり、遅延算出部１１３により算出された遅延差ΔＰＣＲ＞Ｔ１であった場合は、入力切換前のＩＰ放送番組Ｐ２と入力切換後の地上波デジタル放送番組Ｐ１の２画面表示を行うと判定される。そして、図５（ｂ）に示すように、ＩＰ放送番組Ｐ２の映像表示状態８０１から、ＩＰ放送番組Ｐ２と地上波デジタル放送番組Ｐ１の２画面表示状態８０２に遷移する。２画面表示の継続期間Ｔ２（秒）が経過すると、地上波デジタル放送番組Ｐ１の映像表示状態８０３へ切換えられる。なお、２画面表示状態８０２において、主画面側のＩＰ放送番組Ｐ２の映像の上側に音符アイコン８０４が表示される。これは、主画面側のＩＰ放送番組Ｐ２の音声が音声出力部１１２から出力され、副画面側の地上波デジタル放送番組Ｐ１の音声は音声出力部１１２から出力されていないことを表している。
【００４６】
このように、この実施の形態１では、入力切換前の放送番組と入力切換後の放送番組の遅延差に応じて２画面表示を行うようにしたので、入力切換時の映像の見逃しが生じる可能性を低減すること可能となる。また、２画面表示時に、入力切換前の放送番組の音声を出力するようにしたので、入力切換時の音声の聴き逃しが生じる可能性を低減することが可能となる。したがって、大容量のストレージやメモリデバイスを必要とする遅延処理を行わずに、入力切換時に映像の見逃しや音声の聴き逃しが生じる可能性を低減することができる。
【００４７】
なお、ここでは放送受信装置１００が地上波デジタル放送とＩＰ放送を受信する構成を例に挙げたが、これに限定されるものではない。例えば、ＢＳ（Ｂｒｏａｄｃａｓｔｉｎｇ  Ｓａｔｅｌｌｉｔｅ：放送衛星）デジタル放送とＩＰ放送を受信する構成や、ＣＳ（Ｃｏｍｍｕｎｉｃａｔｉｏｎｓ  Ｓａｔｅｌｌｉｔｅ：通信衛星）デジタル放送とＩＰ放送とを受信する構成であっても適用可能である。また、地上波デジタル放送とＢＳデジタル放送を受信する構成や、地上波デジタル放送とＣＳデジタル放送を受信する構成であっても適用可能である。また、地上波デジタル放送と地上波アナログ放送を受信する構成や、地上波デジタル放送とワンセグ（１セグメント）放送とを受信する構成であっても適用可能である。このように、異なる伝送路や伝送方式を用いた複数の放送サービスに対応した受信装置であれば、同様の効果を得ることが可能である。
【００４８】
（実施の形態１の変更例１）
この実施の形態１の変更例１では、入力切換前の放送番組に対応する映像を主画面、入力切換後の放送番組に対応する映像を副画面とする２画面表示状態において、入力切換後の放送番組に対応する字幕を表示する。
【００４９】
図６（ａ）は、実施の形態１の変更例１を示す図であって、図５（ｂ）と対比される図である。ＩＰ放送番組Ｐ２と地上波デジタル放送番組Ｐ１の２画面表示状態８０２において、主画面側のＩＰ放送番組Ｐ２の音声は出力されるが、副画面側の地上波デジタル放送番組Ｐ１の音声は出力されない。そこで、副画面側の地上波デジタル放送番組Ｐ１の字幕８０５を表示する構成とする。具体的には、システム制御部１１５は、図４のステップＳ４１２で、合成部１０５に対して、副画面側の地上波デジタル放送番組Ｐ１の字幕データを合成するように要求する。合成部１０５は、デコード部１０４とデコード部１０８の映像データを２画面に合成するとともに、地上波デジタル放送番組Ｐ１の字幕データを合成して表示制御部１０９に出力する。これにより、入力切換前の放送番組に対応する映像を主画面、入力切換後の放送番組に対応する映像を副画面とする２画面表示状態において、入力切換後の放送番組に対応する字幕８０５が表示される。
【００５０】
なお、合成部１０５が２画面表示の継続期間Ｔ２が経過したか否かを判定する構成の場合は、上記ステップＳ４１２で、システム制御部１１５は、２画面表示の継続期間Ｔ２（秒）を示す情報と、２画面表示終了後に地上波デジタル放送番組とＩＰ放送番組のどちらの１画面表示に切換えるべきかを識別する情報と、地上波デジタル放送番組とＩＰ放送番組のどちらの字幕を表示すべきかを識別する情報とを合成部１０５に出力する。
【００５１】
以上のように、２画面表示状態において音声出力されない副画面側の放送番組（入力切換後の放送番組）に対応する字幕を表示することで、入力切換時に音声の聴き逃しが生じる可能性をさらに低減することができる。
【００５２】
（実施の形態１の変更例２）
この実施の形態１の変更例２では、入力切換前の放送番組に対応する映像を主画面、入力切換後の放送番組に対応する映像を副画面とする２画面表示状態において、入力切換前後の放送番組に遅延差があることを通知する。
【００５３】
図６（ｂ）は、実施の形態１の変更例２を示す図であって、図５（ｂ）と対比される図である。ＩＰ放送番組Ｐ２と地上波デジタル放送番組Ｐ１の２画面表示状態８０２において、ＩＰ放送番組Ｐ２と地上波デジタル放送番組Ｐ１の遅延差がある旨を示すメッセージ８０６を表示する構成とする。具体的には、システム制御部１１５は、図４のステップＳ４１２で、グラフィック生成部１１４に対して、遅延差がある旨を示すメッセージ８０６を生成するように要求する。そして、合成部１０５に対して、入力切換前の放送番組に対応する映像を主画面、入力切換後の放送番組に対応する映像を副画面とする２画面に、グラフィック生成部１１４で生成されたメッセージ８０６を合成するように要求する。合成部１０５は、デコード部１０４とデコード部１０８の映像データを２画面に合成するとともに、メッセージ８０６を合成して表示制御部１０９に出力する。これにより、入力切換前の放送番組に対応する映像を主画面、入力切換後の放送番組に対応する映像を副画面とする２画面表示状態において、入力切換前後の放送番組に遅延差がある旨を示すメッセージ８０６が表示される。
【００５４】
したがって、入力切換時に映像の見逃しや音声の聴き逃しが生じる可能性を低減するために２画面表示状態になっていることを認識することができる。また、映像の見逃しや音声の聴き逃しが生じる可能性があることを認識することもできる。
【００５５】
（実施の形態１の変更例３）
実施の形態１では、図４に示したように、（Ａ）地上波デジタル放送からＩＰ放送への入力切換の指示があった場合も、（Ｂ）ＩＰ放送から地上波デジタル放送への入力切換の指示があった場合も、ステップＳ４０９で、遅延算出部１１３が地上波デジタル放送番組とＩＰ放送番組との遅延差を算出する構成としていた。
【００５６】
この実施の形態１の変更例３では、（Ａ）地上波デジタル放送からＩＰ放送への入力切換の指示があった場合は、ステップＳ４０９の遅延差算出の処理を行わない構成とする。具体的には、（Ａ）地上波デジタル放送からＩＰ放送への入力切換の指示があった場合は、図４のステップＳ４０５から直接ステップＳ４１５に進む構成とする。この場合、ステップＳ４０５で地上波デジタル放送番組に関連付けられたＩＰ放送番組の映像・音声データ等の受信を開始すると、ステップＳ４１５でシステム制御部１１５が地上波デジタル放送からＩＰ放送への入力切換処理を実行する。
【００５７】
この場合、実施の形態１と同様に、大容量のストレージやメモリデバイスを必要とする遅延処理を行わずに、入力切換時に映像の見逃しや音声の聴き逃しが生じる可能性を低減することができる。また、（Ａ）地上波デジタル放送からＩＰ放送への入力切換の指示があった場合は、遅延差算出の処理を行わないですむため、処理負荷が低減される。
【符号の説明】
【００５８】
１００  放送受信装置
１０２，１０６  受信部
１０３，１０７  分離部
１０４，１０８  デコード部
１０５  合成部
１０９  表示制御部
１１０  音声制御部
１１１  映像表示部
１１２  音声出力部
１１３  遅延算出部
１１４  グラフィック生成部
１１５  システム制御部
１１６  受光部
１１７  選局制御部
１１８  メモリ部
１１９  タイマ部
２００  リモコン
【図１】
2010268047.tif 000003
【図２】
2010268047.tif 000004
【図３】
2010268047.tif 000005
【図４】
2010268047.tif 000006
【図５】
2010268047.tif 000007
【図６】
2010268047.tif 000008